(57)【要約】【課題】  変化する眺望を得ることを可能とすると共に、構造物全体で良好な日照を確保することを可能とし、かつ、その変更・調節の自由度が高い回転式の建築構造物を提供する。【解決手段】  本発明の回転式建築構造物は、回転式建築構造物１は、上方に向けて立設されたコア部３と、コア部３を回転中心としてそれぞれ独立して回転可能に積層された複数の回転モジュール２，２，２，…とを備えていることを特徴としている。【選択図】      図２
2005171683.tif 000002
【特許請求の範囲】
【請求項１】
上方に向けて立設されたコア部と、前記コア部を回転中心としてそれぞれ独立して回転可能に積層された複数の回転モジュールとを備えていることを特徴とする回転式建築構造物。
【請求項２】
前記回転モジュールが、前記コア部から外側方に向けて延在された鍔状のブラケットの上面に配設されていることを特徴とする請求項１に記載の回転式建築構造物。
【請求項３】
前記回転モジュールが、前記コア部から外側方に向けて延在された鍔状のブラケットから吊り下げられていることを特徴とする請求項１に記載の回転式建築構造物。
【請求項４】
前記コア部の内部に上下方向に配設された給排水主管と、前記回転モジュールに環状に配設された給排水タンクと、前記給排水主管から側方に向けて延在されて先端が前記給排水タンク内に位置されている給排水支管とをさらに備えていることを特徴とする請求項１〜３の何れか一項に記載の回転式建築構造物。
【請求項５】
前記コア部の内部に上下方向に配設された給排水主管と、前記コア部に環状に配設されて前記給排水主管と接続された環状授受部と、前記回転モジュール内に配設されて先端が前記環状授受部内に位置されている給排水支管とをさらに備えていることを特徴とする請求項１〜３の何れか一項に記載の回転式建築構造物。
【請求項６】
前記コア部の内部に階段室及び又はエレベータシャフトが配設されていることを特徴とする請求項１に記載の回転式建築構造物。
【請求項７】
前記コア部の外側に環状の廊下が形成され、かつ、前記廊下の外方に部屋が配置されており、前記廊下が前記回転モジュール側に位置していることを特徴とする請求項６に記載の回転式建築構造物。
【発明の詳細な説明】
【技術分野】
【０００１】
本発明は、上下方向に積層された回転可能な複数の回転可能部を有する回転式建築構造物に関するものである。
【背景技術】
【０００２】
建築構造物にとって日照や眺望は重要な要素の一つとなる。例えば、マンションなどの集合住宅等では、南側に面した住居に対する人気が根強い。また、ホテルなどでは、眺望の良い客室の人気が高い。このため、反対に北側に面した住居は人気がなくなってしまったり、ホテルでも眺望の良い客室と悪い客室などが生じて運営上の工夫が必要とされるような場合もある。このような状況を考慮して、建築構造物の全部又は一部を可動とすることで、上述した課題を解決することが検討されている［特許文献１］。［特許文献１］に記載の建築構造物は、中心部に位置するコア部の周囲で回転する周回移動部を有する多層建築構造物である。
【特許文献１】特開平９−１９５５３５号公報
【発明の開示】
【発明が解決しようとする課題】
【０００３】
しかし、上述した［特許文献１］に記載の建築構造物は、多層構造物ではあるが、コア部外側の周回移動部は一体的に回転する。このため、自由度に欠け、さらなる改良が要望されるものであった。従って本発明は、変化する眺望を得ることを可能とすると共に、構造物全体で良好な日照を確保することを可能とし、かつ、その変更・調節の自由度が高い回転式の建築構造物を提供することにある。
【課題を解決するための手段】
【０００４】
請求項１に記載の回転式建築構造物は、上方に向けて立設されたコア部と、コア部を回転中心としてそれぞれ独立して回転可能に積層された複数の回転モジュールとを備えていることを特徴としている。
【０００５】
請求項２に記載の発明は、請求項１に記載の回転式建築構造物において、回転モジュールが、コア部から外側方に向けて延在された鍔状のブラケットの上面に配設されていることを特徴としている。
【０００６】
請求項３に記載の発明は、請求項１に記載の回転式建築構造物において、回転モジュールが、コア部から外側方に向けて延在された鍔状のブラケットから吊り下げられていることを特徴としている。
【０００７】
請求項４に記載の発明は、請求項１〜３の何れか一項に記載の回転式建築構造物において、コア部の内部に上下方向に配設された給排水主管と、回転モジュールに環状に配設された給排水タンクと、給排水主管から側方に向けて延在されて先端が給排水タンク内に位置されている給排水支管とをさらに備えていることを特徴としている。
【０００８】
請求項５に記載の発明は、請求項１〜３の何れか一項に記載の回転式建築構造物において、コア部の内部に上下方向に配設された給排水主管と、コア部に環状に配設されて給排水主管と接続された環状授受部と、回転モジュール内に配設されて先端が環状授受部内に位置されている給排水支管とをさらに備えていることを特徴としている。
【０００９】
請求項６に記載の発明は、請求項１に記載の回転式建築構造物において、コア部の内部に階段室及び又はエレベータシャフトが配設されていることを特徴としている。
【００１０】
請求項７に記載の発明は、請求項６に記載の回転式建築構造物において、コア部の外側に環状の廊下が形成され、かつ、廊下の外方に部屋が配置されており、廊下が回転モジュール側に位置していることを特徴としている。
【発明の効果】
【００１１】
請求項１に記載の回転式建築構造物によれば、コア部の周囲で回転モジュールが回転するが、上下方向に複数積層された回転モジュールはそれぞれ独立して回転可能である。即ち、ある一つの回転モジュールのみを回転させたり、複数の回転モジュール間で回転速度や回転方向を変えることが可能である。このため、回転の自由度が高く、季節や建築構造物の性質（住居であるか商業建築であるかなど）に応じて、回転モジュール部の回転方法や回転位置を調節することができる。
【００１２】
請求項２又は３に記載の回転式建築構造物によれば、回転モジュールとコア部とを、回転を可能としつつも確実に一体化させることが可能となる。回転モジュールをブラケットの上面に配設する場合は、回転モジュールを回転させない場合には回転モジュールをブラケットの上面に載置させておくだけで良く、構造が簡便で回転時以外には特別な動力を必要としない。回転モジュールをブラケットから吊り下げる場合は、回転モジュールを回転させない場合のみ両者を固定しておけば良く、回転させる際にはその固定を外せばすぐに回転が可能とでき、回転をさせやすい。
【００１３】
請求項４又は５に記載の回転式建築構造物によれば、各回転モジュール毎に給排水支管が設けられるため、全ての回転モジュールの回転を同期させる必要がなく、回転自由度が高い。また、給排水管によってコア部と回転モジュールとが連結されないため、回転モジュールを永久に一方方向に回転させ続けることも可能となる。なお、給排水主管や給排水支管は、給水又は排水のみに利用されるようであってももちろん構わない。
【００１４】
請求項６に記載の回転式建築構造物によれば、上下方向の移動に必要な階段室やエレベータシャフトはコア部に設けることで、回転モジュールが回転するような構造であっても上下方向の移動をスムーズに行うことが可能となる。特に、本発明の回転式建築構造物は回転モジュール毎にその回転が同期されないため、回転モジュール間での上下方向の移動は困難であるため、このような構造は特に有用である。
【００１５】
請求項７に記載の回転式建築構造物によれば、回転モジュール内での移動を、回転モジュール側に設けた環状の廊下で行えるようにしている。このため、上下方向の移動をコア内部で行った者は、コア部から出ることでこの環状の廊下で回転モジュール内を周方向に移動することができ、移動を行いやすくなる。そして、環状廊下が回転する回転モジュール側に設けられているため、環状廊下と部屋（各種スペース：住宅であれば住居、ホテルであれば客室やイベントスペース、商業施設であれば店舗やホールなど）との関係は固定的であり、廊下と部屋との位置関係が変わらず、回転モジュール内での空間構成を行いやすくなる。なお、部屋の内部や部屋のさらに外周側に、上述した環状廊下以外の環状廊下が設けられても構わない。
【発明を実施するための最良の形態】
【００１６】
本発明の回転式建築構造物の一実施形態について図面を参照しつつ説明する。図１にその全体斜視図を示す。図１に示されるように、本実施形態の回転式建築構造物１は、円筒所の外観を有しており、低層部の共用部分や店舗部分を除いた全ての階が住宅で占められている高層マンションである。そして、回転式建築構造物１の上下方向は、六つの回転モジュール２として分割されており、各回転モジュールの内部は、図２に示されるように、さらに多層階に分割されている。回転モジュールの最も外周側には、周方向一定間隔毎に二層分の吹き抜けが形成されており、この吹き抜け空間には植樹が行われている。
【００１７】
また、図３に示されるように、各回転モジュール２は、建築構造物の中央部分に上下方向に貫通して配置されているコア部３を中心にして回転する。コア部３は、その下方部が地中に埋設されており、地上部が上方に向けて立設されている。コア部３の下部を杭基礎やベタ基礎としてもよい。コア部３は、円筒状の構造体であり、一定間隔毎に外側方に向けて延在された鍔状のブラケット４を有している。上述した各回転モジュール２は、このブラケット４の上面に配設されている。
【００１８】
回転モジュール２とコア部３との平面的な関係について、図４を参照して説明する。上述したように、各回転モジュール２はその内部で多層構造となっているが、二層で一つの構成単位を形成している。図４（ａ）及び図４（ｂ）に構成単位となる二層を示す。図４（ａ）に示されているものが下側の層（階）であり、図４（ｂ）に示されているのが上側の層（階）である。ここでは、円周方向に八つの住宅が配置されている。
【００１９】
図４（ａ）及び図４（ｂ）に示されるように、中央に円筒状のコア部３が配置されている。そして、このコア部３の周囲に回転モジュール２が配置されている。下側階のコア部３の内部中央にはエレベータホール３０が形成されており、このエレベータホール３０には対向して三機ずつ、計六機の宿泊者用のエレベータが配設されている。即ち、エレベータホール３０に近接して六本のエレベータシャフト３１が配設されている。また、エレベータシャフト３１の裏側に、それぞれ一つずつ計二本の階段室３２が配設されている。
【００２０】
階段室３２へは、小さなホール３３を介して出入りできる。このホール３３には従業員用のエレベータのエレベータシャフト３４も面している。階段室３２、ホール３３及びエレベータシャフト３４は二組ある。コア部３の外側に面して環状廊下２０が形成されている。コア部３には、エレベータホール３０又はホール３３と環状廊下２０との間の出入りのために開口が形成されている。
【００２１】
上述した構成は図４（ａ）に示される下側階に関するものであり、図４（ｂ）に示される上側階ではエレベータシャフト３１，３４や階段室３２は貫通形成されているが降り口などはなく、コア部３に出入用の開口も形成されていない。上述したように、環状廊下２０に面して八つの住宅２１が配置されている。各住宅２１への出入口は、下側階の環状廊下２０に面してそれぞれ一つずつ設けられている。環状廊下２０は回転モジュール２側に設けられており、住宅２１と一緒に回転する。
【００２２】
このため、荷物を環状廊下２０に出しておいたらどこかに行ってしまったというようなことはない。また、消化器などの備品の位置も住宅２１に対して固定的であるため、居住者が迷ってしまうようなこともない。このように環状廊下を回転モジュール２側に設けておけば、自宅玄関前の備品位置などが固定されるので回転モジュール２内での空間構成を行いやすくできる。また、本実施形態はマンションであるが、ホテルなどに適用した場合は、メンテナンスのためのリネンカーゴなどを各客室前に止めておいても移動してしまうようなことはない。
【００２３】
各住宅２１内には、階段があり、下側階の部屋２１Ｌと上側階の部屋２１Ｕとを自由に行き来できる。また、各住宅２１には、それぞれ吹き抜けとなる空間（パティオ）２２が設けられており、この空間２２は図４（ａ）に示される下側階から図４（ｂ）に示される上側階にかけて形成されている。空間２２には、植木や植物が配されており、庭のように利用できる。さらに、空間２２の内側（コア部３側）には、下側階と上側階とにそれぞれ部屋（寝室や書斎など）２３Ｌ，２３Ｕが設けられている。上側階の部屋２３Ｕへ行く際には、下側階の空間２２に設けられた階段を利用する。
【００２４】
上述した空間２２においては、一つの回転モジュール２の下端から上端までを空気が移動可能な構造となっている。具体的には、空間２２の下側階床面の少なくとも一部に空気の流通を可能とする流路を形成してある。このため、空間２２によって一つの回転モジュール２の下端から導入した空気を上端から抜くことが可能となっている（図３中の矢印参照）。このような構造とすることで、高層階においても自然な外気を回転モジュール２内部に取り入れ、夏季の冷房機能と冬季の暖房機能と伸そう反する特性を融合させることが可能となる。また、空間２２に植物を配置することで、高層階でも森林浴を可能とし、空中に浮かぶ緑の空間を創造することができる。
【００２５】
図５に回転モジュール２の一部断面図を示し、また、図６に回転モジュール２の回転機後部の断面図を示す。これらの図に基づいて、回転モジュール２の回転機構について説明する。本実施形態の回転モジュール２は、上述したブラケット４の上面に配置されている。そして、図５に示されるように、回転モジュール２とブラケット４との間には、内周側にエアキャスター５が環状に並べられており、その外側に免震ユニット６が並べられている。エアキャスター５及び免震ユニット６は、回転モジュール２の底面に固定されている。なお、免震ユニット６は、ブラケット４の上面側に固定されていてもよい。
【００２６】
また、回転モジュール２の上端内周側とコア部３の上端外周側とにかけて、回転駆動部７が取り付けられている。回転駆動部７は、モータとギアからなり、モータを駆動することで回転モジュール２側のギアとコア部３側とのギアとの噛み合いでコア部３に対して回転モジュール２を回転させるものである。なお、回転駆動部７は、図５には一つしか示されていないが、複数も受けられても良く、同一平面上に複数も受けても良いし、上下方向にずらして設けられても良い。
【００２７】
回転モジュール２は、通常時は図６（ａ）に示されるように、回転モジュール２はブラケット４上に載置されており、回転できない。このときは、免震ユニット６の上面は回転モジュール２の底面と、免震ユニット６の下面はブラケット４の上面と接しており、回転モジュール２の免震が図られている。免震ユニット６は、例えば、鉛プラグ入り積層ゴムで、長周期化と減衰を付加している。回転モジュール２を回転させる際には、上述したエアキャスター５に空気を送り込んで図６（ｂ）に示されるように回転モジュール２を浮かせ、浮かせた状態で回転駆動部７を駆動して回転させる。このために、回転モジュール２はエアキャスターに空気を送り込むポンプ８を備えている。
【００２８】
回転駆動部７の回転モジュール２側のギアとコア部３側のギアとは、エアキャスター５によって回転モジュール２を浮かした状態で確実に噛み合うように位置に設けられている。また、エアキャスター５によって回転モジュール２を浮かした状態では、免震ユニット６の下面はブラケット４の上面からは離れた状態となっている。なお、免震ユニット６をブラケット４側に固定した場合は、エアキャスター５によって回転モジュール２を浮かした状態では、免震ユニット６の上面と回転モジュール２の底面との間に隙間が形成される。あるいは、免震ユニット６と回転モジュール２（又はブラケット４）との間に回転を可能とするレール機構などを設けても良く、この場合は隙間が形成されなくても良い。
【００２９】
このようにすることで、通常時には回転モジュール２をブラケット上に載置させておくことで、揺れなどの発生を確実に防止することが可能となる。また、回転モジュールを回転させるときにのみ回転させる機構（エアキャスター５や回転駆動部７）を利用するため、これらの機構の劣化が少ない。このタイプの回転方式は、どちらかといえば、常時回転させるものではなく、決まったときに決まった量だけ回転させる場合に好適である。
【００３０】
次に、他の実施形態について説明する。この他の実施形態の図５相当図を図７に、図６相当図を図８に示す。本実施形態は、回転モジュール２の回転機構のみが異なる。このため、上述した実施形態と同一又は同等の部分については詳しい説明を省略する。以下には、特に異なる機構部分についてのみ詳しく説明する。上述した実施形態は、回転モジュール２がブラケット４上に配設されるものであった。本実施形態では、回転モジュール２はブラケット４から吊り下げられた形態となる。
【００３１】
図５に示されるように、本実施形態のブラケット４は、その下面にコロ部材９が環状に取り付けられている。図６に示されるように、コロ部材９は、内周側と外周側に二重同心円上に配されている。これに対応させて、回転モジュール２の上面には吊り下げ用の一対の環状フック９０が上方に向けて立設されている。各フック９０は上述した各コロ部材９の内部に位置しており、回転モジュール２の回転を容易にしつつ、回転モジュールを吊り下げ支持している。
【００３２】
また、上述した実施形態と同様に、回転モジュール２の上端内周側とコア部３の上端外周側とにかけて、回転駆動部７が取り付けられている。さらに、一対のコロ部材９の間には、環状の固定部１０が配設されている。固定部１０は、ブラケット４の下面と回転モジュール２の上面にかけて設けられている。回転モジュール２とブラケット４との間を固定部１０によって固定することで、回転モジュール２の回転を固定することができる。回転モジュール２を回転させるときは、固定部１０による回転モジュール２−ブラケット４間の固定は解除される。なお、各コロ部材９には免震機構（積層ゴム）が内蔵されており、上述した実施形態の免震ユニット６と同様の機能も有している。
【００３３】
回転モジュール２は、通常時は固定部１０によってブラケット４に対して固定されている。回転モジュール２を回転させる際には、固定部１０による固定を解除し、回転駆動部７を駆動して回転させる。このタイプの回転方式は、どちらかといえば、常時回転させる場合、あるいは、回転させる期間が長時間にわたる場合（回転量が多い場合のみならず、回転量が少なくても非常にゆっくり回転させる場合）などに好適である。なお、コロ部材９を昇降させる昇降装置を設け、非回転時にはこの昇降装置によってコロ部材９の位置を下げ、フック９０を直接ブラケット４で支持するようにしてもよい。
【００３４】
次に、設備に関する構造について説明する。上述したように、本発明の回転式建築構造物は、複数の回転モジュールを有し、これらが互いに独立して回転可能である。また、その回転も、一定の回転量毎に逆回転によるリセットが必要と言うこともない。このため、給排水設備や電気設備関係もこれを可能とする構造とされている。
【００３５】
まず、図５の実施形態の給水設備について、図９〜図１１に基づいて説明する。回転モジュール２は、その上部に環状の給水タンク１１を有している。給水タンク１１は、コア部３に対して回転することとなる。一方で、給水タンク１１は回転モジュール２に対しては固定的であるので、回転モジュール２内の各所へはポンプ１２によって通常通り給水を行える。問題となるのは、互いの位置が変わる回転モジュール２−コア部３間の配管である。この部分を図１０及び図１１に拡大して示す。
【００３６】
まず、コア部３の内部に、給水主管１３が上下方向に配される。コア部３は地面に対して固定的であり、給水主管１３は地中の上水道管と連結している。そして、この給水主管１３から側方に向けて、給水支管１４が延設されている。そして、給水支管１４の先端が、給水タンク１１の内部に位置している。そして、給水支管１４と回転モジュール２（給水タンク１１）とは接触する部分が存在しない。このため、回転モジュール２が回転しても、給水支管１４の先端は常に環状の給水タンク１１の内部に位置しており、給水タンク１１への給水が阻害されることはない。なお、給水支管１４上には、給水タンク１１への給水の元栓となるバルブ１４ａが配されている。
【００３７】
ここで、給水タンク１１の内周側には、トラフ部１５が給水タンク１１の形状に合わせて環状に形成されている。トラフ部１５は、内部に水が満たされると共に給水タンク１１の屋根側が水面下まで垂下されており、給水タンク１１の内部と外部とを水によって封止する部分である。即ち、給水タンク１１の内周側（トラフ部１５）の形状は、環状の給水タンク１１の何れの箇所で図１１の断面を取っても、図１１と同一となっている。上述した給水支管１４はトラフ部１５で屈曲されているが、この屈曲は給水支管１４による給水タンク１１への給水には影響を及ぼさない。このような構造とすることで、給水支管１４を回転モジュール２に対して非接触として回転モジュール２の回転を可能とすると共に、トラフ部１５に貯留されたシール水によって埃や虫などの給水タンク１１内への侵入を確実に防止することができる。
【００３８】
また、この構造は、給水主管１３から給水支管１４を側方に突設させつつ、環状のトラフ部１５を設けるというだけの簡単な構造で実現されている。このため、複雑な構造によってメンテナンスが大変になったりすることはなく、保守が容易であるというメリットがある。また、この構造であれば、フレキシブルホースなどで接続した場合のように、一定回転毎に逆回転が必要になるようなこともなく、回転モジュール２の回転自由度を下げてしまうようなこともない。
【００３９】
次に、図５の実施形態の排水設備について、図１２〜図１４に基づいて説明する。回転モジュール２側には、回転モジュール２内の各所から排水を集める複数の排水支管１６が配設されている。排水支管１６は、コア部３に対して回転することとなる。一方で、コア部３側には、その外周面から内周面にかけて、排水を受け取る環状授受部１７を有している。しかし、上述した排水支管１６は環状授受部１７に対して回転する。このため、ここでも上述した給水構造と同様に、問題となるのは、互いの位置が変わる回転モジュール２−コア部３間の配管である。この部分を図１３及び図１４に拡大して示す。
【００４０】
まず、コア部３の内部に、上述した環状授受部１７に対して複数の排水主管１８が接続される。複数の排水主管１８は上下方向に配されている。コア部３は地面に対して固定的であり、排水主管１８は地中の下水道管と連結している。なお、本実施形態では、図１４に示されるように、環状授受部１７がコア部３の外部側と内部側との二つ部分に分割され、これらが連結された形態とされているが、一体的に形成されても良い。一方、上述した回転モジュール２側の排水支管１６の下端（先端）は、コア部３方向に向けて側方に向けられており、その先端が、環状授受部１７の内部に位置している。排水支管１６とコア部３（環状授受部１７）とは接触する部分が存在しない。このため、回転モジュール２が回転しても、排水支管１６の先端は常に環状授受部１７の内部に位置しており、環状授受部１７への排水が阻害されることはない。
【００４１】
ここで、環状授受部１７の外周側には、上述した給水タンク１１と同様のトラフ部１９が環状に形成されている。このトラフ部１９も、内部に水が満たされると共に環状授受部１７の上面側が水面下まで垂下されており、環状授受部１７の内部と外部とを水によって封止する部分である。即ち、環状授受部１７（トラフ部１９）の形状は、環状授受部１７の何れの箇所で図１４の断面を取っても、図１４と同一となっている。また、上述した排水支管１６はトラフ部１９で屈曲されており、この部分は排水支管１６の内部にＵトラップを形成させている。このような構造とすることで、排水支管１６をコア部３に対して非接触として回転モジュール２の回転を可能とすると共に、トラフ部１９に貯留されたシール水によって排水主管１８側からの異臭やネズミなどの回転モジュール２側への侵入を確実に防止することができる。また、排水支管１６内部のＵトラップによっても、排水支管１６を介しての異臭やネズミなどの回転モジュール２側への侵入を確実に防止することができる。
【００４２】
次に、図５の実施形態の電力供給設備について、図１５及び図１６に基づいて説明する。回転モジュール２側には、回転モジュール２内の各所に電気を供給するモジュール側配線４０が配設されている。一方、コア部３の内部には、外部の送電線と接続されたコア側配線４１が配設されている。コア側配線４１に対してモジュール側配線４０が移動するので、この間の配線が問題となる。この部分を図１６に拡大して示す。
【００４３】
モジュール側配線４０の一端に、三つの接点端子からなるモジュール側端子４２を設け、このモジュール側端子４２をコア部３の外周方向に突出させる。一方、コア部３側には、このモジュール側端子４２と摺動接触するコア側端子４３を配設させている。コア側端子４３は、コア部３の外周を一周するように環状に形成されており、モジュール側端子４２に対応させて三つ配設されている。このモジュール側端子４２とコア側端子４３とで主導接点が構成されている。なお、モジュール側端子４２とコア側端子４３との組が三つ設けられているのは、モジュール側端子４２とコア側端子４３との瞬断による電力の供給断が生じないようにしているためである。三組のうちの一つが瞬断しても残りの端子によって電力の供給が確保される。
【００４４】
図１７及び図１８に、本発明の回転式建築構造物の他の構造形態を示す。本実施形態は、上述したコア部３とブラケット４に対応する構造部分の変形例と言える。回転モジュールに関しては上述した実施形態（ブラケット載置型又はブラケット吊下型）と同様である。本実施形態では、コア部３の上端に断面が大きな梁５０を設けている。梁５０は、コア部３の上部から外方に放射状に延設されている。そして、この梁の先端とブラケット４の外周部とが柱５１によって接続されている。柱５１は、ブラケット４の外周状に一定間隔毎に複数本設けられている。さらに、二つのブラケット４間で、複数の柱５１が環状部材５２で連結されている。これによって、建築構造物１の外表面にフレームが形成されている。回転モジュール（図示せず）は、このフレームの内部で回転する。
【００４５】
なお、本実施形態のブラケット４は、上述した実施形態のように円盤状ではなく、フレーム状に形成されている。ブラケット４に作用する鉛直下方への荷重（主として回転モジュールの重量によって作用する荷重）は、柱５１を介して梁５０に伝えられ、支持される。即ち、ブラケット４は、梁５０によって上方より吊られて支持される。もちろん、ブラケット４とコア部３との接合部による支持効果や、柱５１（下端は基礎に結合されている）自身による支持効果もある。このような構造とすることで、地震や風などの水平力に対する構造強度を強化することができる。この際、コア部３の壁部は、基礎に剛結されて水平力の大半を負担する。外周部の柱５１は、水平力に伴って発生する転倒モーメントによる軸力を負担する。
【００４６】
上述した実施形態のように、建築構造物の一部を回転させることができるので、構造物全体で良好な日照及び眺望を確保（共有）することが可能となる。また、複数の回転モジュール毎に独立して回転を行えるため、回転の変更・調節の自由度が高い。
【００４７】
図１９に、図６の場合とは異なる免振機構を採用した実施形態を示す。この実施形態においては、回転モジュール２の下面から下方に向けて突起６０が突設されている。突起６０は、回転モジュールの全周にわたって環状に形成されている。そして、この突起６０が埋設されるように、ブラケット４の上面には環状容器６１が配設されている。そして、環状容器６１の内部には、粘性体が充填されている。なお、突起６０及び環状容器６１とも環状に形成されているので、ブラケット４上での回転モジュール２の回転を妨げるものではない。
【００４８】
通常時であれば、回転モジュール２はブラケット４上に載置されているが、このとき地震などで横方向の振動が作用すると、回転モジュール２はブラケット４上で横方向に移動し得る。あるいは、回転モジュール２がブラケット４上で横方向に移動しない場合であっても、回転モジュール２が水平変形し得る。このとき、突起６０と粘性体との間で減衰力が作用し、振動のエネルギーが吸収される。
【００４９】
図２０及び図２１に、さらに別の免振機構を採用した実施形態を示す。図２０に示されるように、横力が作用すると、コア部３は主に曲げ変形を起こす。これに対して、各回転モジュール２は各ブラケット４上で剛体としての挙動を示すとみなすことができる。このため、コア部３の外周部と回転モジュール２の内周部との間には、図２０に示されるように、相対的な変形（コア部３に対する回転モジュール２の相対的な移動に伴う変形）が生じる。このため、コア部３の外周部と回転モジュール２の内周部との間にダンパを設置する。なお、図２０においては、ダンパを単純にバネ記号として示してある。
【００５０】
ダンパ６２の構造を図２１に示す。図２１に示されるように、コア部３の外周面から外方に向けて一対の突起６２ａが突設されている。各回転モジュール２毎に一対の突起６２ａが突設されている。各突起６２ａは、コア部３の外周部の全周にわたって環状に形成されている。そして、この突起６２ａの先端を収納するように、回転モジュール２の内周部に一対の環状容器６２ｂが設けられている。そして、環状容器６２ｂの内部には、粘性体（ダンパオイル）が充填されている。なお、突起６２ａ及び環状容器６２ｂとも環状に形成されているので、ブラケット４上での回転モジュール２の回転を妨げるものではない。さらに、ダンパ６２は、回転モジュール２の回転時の上下移動を吸収できるような構造とされている。
【００５１】
通常時であれば、このとき地震などで横方向の振動が作用すると、上述した相対的な変形によって、突起６２ａが環状容器６２ｂ内で水平方向に移動する。この移動を、環状容器６２ｂ内の粘性体（ダンパオイル）で減衰させる。即ち、ダンパ６２による減衰によって、振動のエネルギーを吸収する。このように、図１９〜図２１に示したような機構によっても、免振を行うことができる。
【００５２】
なお、本発明は上述した実施形態に限定されるものではない。例えば、上述した実施形態では、回転モジュール２が連続して積層されたが、複数の回転モジュール２間に回転しない部分が存在しても良い。また、上述した回転モジュール２は、その内部が多層構造とされていたが、多層構造となっていなくても良い。また、回転モジュール２の形態も、上述した円柱（円筒）形に限られない。
【００５３】
さらに、回転モジュール２の回転形態は多種多様に行うことができる。決まった時期に短時間に決まった量だけ回転させる場合、常時回転させる場合、ある時期は常時回転させるが他の時期は全く回転させない場合など。あるいは、ある回転モジュールと他の回転モジュールの回転方向が同一の場合と異なる場合。回転するモジュールと回転しないモジュールとが存在する場合など。
【図面の簡単な説明】
【００５４】
【図１】本発明の回転式建築構造物の一実施形態の全体斜視図である。
【図２】図１の建築構造物における一つの回転モジュールを拡大して示す斜視図である。
【図３】図１の建築構造物の全体断面図である。
【図４】図１の建築構造物の平断面図である。
【図５】回転機構の第一実施形態の斜視図である。
【図６】回転機構の第一実施形態の要部断面図である。
【図７】回転機構の第二実施形態の斜視図である。
【図８】回転機構の第二実施形態の要部断面図である。
【図９】給水配管を示す斜視図である。
【図１０】給水配管を示す要部斜視図である。
【図１１】給水配管を示す要部断面図である。
【図１２】排水配管を示す斜視図である。
【図１３】排水配管を示す要部斜視図である。
【図１４】排水配管を示す要部断面図である。
【図１５】給電配線を示す斜視図である。
【図１６】給電配線を示す要部斜視図である。
【図１７】本発明の回転式建築構造物の他の実施形態の全体構造斜視図である。
【図１８】図１７の建築構造物の一部を拡大して示す斜視図である。
【図１９】回転（免振）機構の第三実施形態の要部断面図である。
【図２０】回転（免振）機構の第四実施形態を説明する全体模式図である。
【図２１】回転（免振）機構の第四実施形態の要部断面図である。
【符号の説明】
【００５５】
１     回転式建築構造物
２     回転モジュール
３     コア部
４     ブラケット
５     エアキャスター
６     免震ユニット
７     回転駆動部
８     ポンプ
９     コロ部材
１０   固定部
１１   給水タンク（給排水タンク）
１２   ポンプ
１３   給水主管（給排水主管）
１４   給水支管（給排水支管）
１４ａ バルブ
１５   トラフ部
１６   排水支管（給排水支管）
１７   環状授受部
１８   排水主管（給排水主管）
１９   トラフ部
２０   環状廊下
２１   住宅
２１Ｌ 部屋
２１Ｕ 部屋
２２   空間
２３Ｌ，２３Ｕ       部屋
３０   エレベータホール
３１，３４    エレベータシャフト
３２   階段室
３３   ホール
４０   モジュール側配線
４１   コア側配線
４２   モジュール側端子
４３   コア側端子
５０   梁
５１   柱
５２   環状部材
９０   環状フック
【図１】
2005171683.tif 000003
【図２】
2005171683.tif 000004
【図３】
2005171683.tif 000005
【図４】
2005171683.tif 000006
【図５】
2005171683.tif 000007
【図６】
2005171683.tif 000008
【図７】
2005171683.tif 000009
【図８】
2005171683.tif 000010
【図９】
2005171683.tif 000011
【図１０】
2005171683.tif 000012
【図１１】
2005171683.tif 000013
【図１２】
2005171683.tif 000014
【図１３】
2005171683.tif 000015
【図１４】
2005171683.tif 000016
【図１５】
2005171683.tif 000017
【図１６】
2005171683.tif 000018
【図１７】
2005171683.tif 000019
【図１８】
2005171683.tif 000020
【図１９】
2005171683.tif 000021
【図２０】
2005171683.tif 000022
【図２１】
2005171683.tif 000023